【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
ペイメントカードであって、
外部の電磁信号を受信し、前記ペイメントカードに電力供給するために電磁信号を電気信号に変換するように作働可能な受信機と、
１つ又はそれ以上のデータ信号を生成するように作働可能な、前記受信機の前記電気信号と結合されたＣＰＵと、
前記受信機からの前記電気信号に基づいて電力を受け取るように作働可能な、前記ＣＰＵから前記１つ又はそれ以上のデータ信号の少なくとも１つを受信するディスプレイと、  電圧レギュレータからの第１の電圧レベルの電圧を、前記ディスプレイと結合されるように適合された第２の電圧レベルの第２の電圧に変換するように作働可能な、前記電圧レギュレータの１つ又はそれ以上の出力と結合された１つ又はそれ以上のレベル・シフト回路と、
前記ＣＰＵからの前記１つ又はそれ以上のデータ信号の少なくとも１つを受信するよう作動可能であり、かつ、前記受信機からの前記電気信号に基づいて電力を受け取るようにさらに作働可能な、磁気的に読み取り可能なデータを格納する動的磁気ストライプと、
を含み、
前記ペイメントカードにより受信された前記電磁信号に応答して、前記ＣＰＵは、データを永続的に表示するように作働可能な前記ディスプレイ上に既に表示されたいずれのデータも異なるデータに変更し、かつ、前記動的磁気ストライプにより格納された前記磁気的に読み取り可能なデータを変更することを特徴とするペイメントカード。
【請求項２】
前記ペイメントカードはバッテリを含まないことを特徴とする、請求項１に記載のペイメントカード。
【請求項３】
前記電圧レギュレータと結合された、前記電磁信号から受け取ったエネルギーを貯蔵する１つ又はそれ以上のエネルギー貯蔵素子をさらに含むことを特徴とする、請求項１に記載のペイメントカード。
【請求項４】
ペイメントカードであって、
外部の電磁信号を受信し、該電磁信号を電気信号に変換するように作働可能な受信機と、
前記電気信号を受信するよう作動可能であり、かつ、１つ又はそれ以上の調整された電圧信号を与えるように作働可能な、前記受信機と結合された電圧レギュレータと、
１つ又はそれ以上のデータ信号を生成するように作働可能な、前記１つ又はそれ以上の調整された電圧信号の少なくとも１つを受信するＣＰＵと、
前記１つ又はそれ以上の調整された電圧信号の少なくとも１つを受信するよう作動可能であり、かつ、前記ＣＰＵからの前記１つ又はそれ以上のデータ信号の少なくとも１つを受信するように作働可能な、データを表示するディスプレイと、
を含み、
前記ペイメントカードにより受信される前記電磁信号に部分的に基づいて、前記ＣＰＵは、前記ディスプレイにより表示される前記データを変更し、これを該ディスプレイ上に永続的に表示するように作働可能であることを特徴とするペイメントカード。
【請求項５】
前記ペイメントカードはバッテリを含まないことを特徴とする、請求項４に記載のペイメントカード。
【請求項６】
前記電磁信号から受け取ったエネルギーを貯蔵するための、前記電圧レギュレータと結合された１つ又はそれ以上のエネルギー貯蔵素子をさらに含むことを特徴とする、請求項４に記載のペイメントカード。
【請求項７】
前記電圧レギュレータからの第１の電圧レベルの電圧を、前記ディスプレイと結合されるように適合された第２の電圧レベルの第２の電圧に変換するように作働可能な、該電圧レギュレータの前記１つ又はそれ以上の出力と結合された１つ又はそれ以上のレベル・シフト回路をさらに含むことを特徴とする、請求項４に記載のペイメントカード。
【請求項８】
前記１つ又はそれ以上の調整された電圧信号の少なくとも１つを受信するように作働可能であり、かつ、前記１つ又はそれ以上のデータ信号の少なくとも１つを受信するようにさらに作働可能な、磁気的に読み取り可能なデータを格納する動的磁気ストライプをさらに含み、前記ペイメントカードにより受信される前記電磁信号に部分的に基づいて、前記ＣＰＵは、前記動的磁気ストライプに含まれる前記磁気的に読み取り可能なデータの１つ又はそれ以上の部分を変更するように作働可能であることを特徴とする、請求項４に記載のペイメントカード。
【請求項９】
前記電圧レギュレータからの第１の電圧レベルの電圧を、前記動的磁気ストライプと結合されるように適合された第３の電圧レベルの第３の電圧に変換するように作働可能な、該電圧レギュレータの前記１つ又はそれ以上の出力と結合された１つ又はそれ以上のレベル・シフト回路をさらに含むことを特徴とする、請求項８に記載のペイメントカード。
【請求項１０】
ペイメントカードであって、
外部の電磁信号を受信し、前記ペイメントカードに電力供給するために前記電磁信号を電気信号に変換するように作働可能な受信機と、
前記電気信号を受信するよう作動可能であり、かつ、１つ又はそれ以上の調整された電圧信号を与えるように作働可能な、前記受信機と結合された電圧レギュレータと、
前記１つ又はそれ以上の調整された電圧信号の少なくとも１つを受信するよう作動可能であり、かつ、１つ又はそれ以上のデータ信号を生成するように作働可能なＣＰＵと、
前記１つ又はそれ以上の調整された電圧信号の少なくとも１つを受信するよう作動可能であり、かつ、前記１つ又はそれ以上のデータ信号の少なくとも１つを受信するように作働可能な、磁気的に読み取り可能なデータを格納する動的磁気ストライプと、
を含み、
前記ペイメントカードにより受信された前記電磁信号に応答して、前記ＣＰＵは、前記動的磁気ストライプ内に含まれる前記磁気的に読み取り可能なデータの１つ又はそれ以上の部分を変更することを特徴とするペイメントカード。
【請求項１１】
前記ペイメントカードはバッテリを含まないことを特徴とする、請求項１０に記載のペイメントカード。
【請求項１２】
前記電圧レギュレータと結合された、前記電磁信号から受け取ったエネルギーを貯蔵する１つ又はそれ以上のエネルギー貯蔵素子をさらに含むことを特徴とする、請求項１０に記載のペイメントカード。
【請求項１３】
前記電圧レギュレータからの第１の電圧レベルの電圧を、ディスプレイと結合されるように適合された第２の電圧レベルの第２の電圧に変換するように作働可能な、該電圧レギュレータの前記１つ又はそれ以上の出力と結合された１つ又はそれ以上のレベル・シフト回路をさらに含むことを特徴とする、請求項１０に記載のペイメントカード。
【請求項１４】
前記１つ又はそれ以上の調整された電圧信号の少なくとも１つを受信するように作動可能であり、かつ、前記１つ又はそれ以上のデータ信号の少なくとも１つを受信するようにさらに作働可能な、データを表示するディスプレイをさらに含み、前記ペイメントカードにより受信される前記電磁信号に部分的に基づいて、前記ＣＰＵは、前記ディスプレイにより表示される前記データを変更するように作働可能であることを特徴とする、請求項１０に記載のペイメントカード。
【請求項１５】
前記ディスプレイは、前記データを永続的に表示するように作働可能であることを特徴とする、請求項１４に記載のペイメントカード。
【請求項１６】
ペイメントカードを形成する方法であって、
前記ペイメントカード上に永続的ディスプレイを設け、
電磁信号を受信するよう作動可能であり、かつ、前記電磁信号を電力に変換するよう適合された受信機を前記ペイメントカード上に設け、
前記電力を前記ディスプレイに印加することを提供し、
前記ディスプレイに印加された前記電力に応答して、該永続的ディスプレイのコンテンツを変更を提供することを提供する、
ことを含むことを特徴とする方法。
【請求項１７】
前記ペイメントカード上に動的磁気ストライプを設け、
前記ディスプレイに印加された前記電力に応答して、前記動的磁気ストライプのコンテンツを変更する、
ことをさらに含むことを特徴とする、請求項１６に記載の方法。
【請求項１８】
前記永続的ディスプレイのコンテンツを変更する操作は、新しいデータを該永続的ディスプレイに書き込むことを含むことを特徴とする、請求項１６に記載の方法。
【請求項１９】
前記動的磁気ストライプのコンテンツを変更する操作は、新しいデータを該動的磁気ストライプに書き込むことを含むことを特徴とする、請求項１７に記載の方法。
【請求項２０】
前記電磁信号から受け取ったエネルギーを貯蔵するために１つ又はそれ以上のエネルギー貯蔵素子を設けることをさらに含むことを特徴とする、請求項１６に記載の方法。
【請求項２１】
１つ又はそれ以上の調整された出力電圧を与える、前記受信機と結合された電圧レギュレータを設け、
前記１つ又はそれ以上の調整された出力電圧を前記ディスプレイと結合する、
ことをさらに含むことを特徴とする、請求項１６に記載の方法。
【請求項２２】
前記電圧レギュレータからの第１の電圧レベルの電圧を、前記ディスプレイと結合されるように適合された第２の電圧レベルの第２の電圧に変換する、該電圧レギュレータの前記１つ又はそれ以上の調整された出力電圧と結合された１つ又はそれ以上のレベル・シフト回路を設けることをさらに含むことを特徴とする、請求項１６に記載の方法。
【請求項２３】
ペイメントカードを操作する方法であって、
電磁信号を受信し、
前記電磁信号を電気信号に変換し、
前記電気信号を調整して、１つ又はそれ以上の調整された電圧信号を形成し、
前記１つ又はそれ以上の調整された電圧信号の少なくとも１つをＣＰＵに印加し、
前記１つ又はそれ以上の調整された電圧信号の少なくとも１つをＣＰＵに印加することに応答して、該１つ又はそれ以上の調整された電圧信号の少なくとも１つをディスプレイに印加し、
データを前記ディスプレイに永続的に書き込む、
ことを含むことを特徴とする方法。
【請求項２４】
前記１つ又はそれ以上の調整された電圧信号の少なくとも１つを動的磁気ストライプに印加し、
磁気的に読み取り可能なデータを前記動的磁気ストライプ上に格納する、
ことをさらに含むことを特徴とする、請求項２３に記載の方法。
【請求項２５】
前記電磁信号から受け取ったエネルギーを貯蔵することをさらに含むことを特徴とする、請求項２３に記載の方法。
【請求項２６】
ペイメントカードを操作する方法であって、
電磁信号を受信し、
前記電磁信号を電気信号に変換し、
前記電気信号を調整して、１つ又はそれ以上の調整された電圧信号を形成し、
前記１つ又はそれ以上の調整された電圧信号の少なくとも１つをＣＰＵに印加し、
前記１つ又はそれ以上の調整された電圧信号の少なくとも１つをＣＰＵに印加することに応答して、該１つ又はそれ以上の調整された電圧信号の少なくとも１つを動的磁気ストライプに印加し、
磁気的に読み取り可能なデータを前記動的磁気ストライプ上に格納する、
ことを含むことを特徴とする方法。
【請求項２７】
前記１つ又はそれ以上の調整された電圧信号の少なくとも１つをディスプレイに印加し、
データを前記ディスプレイに書き込む、
ことをさらに含むことを特徴とする、請求項２６に記載の方法。
【請求項２８】
前記電磁信号から受け取ったエネルギーを貯蔵することをさらに含むことを特徴とする、請求項２６に記載の方法。
【請求項２９】
ペイメントカードであって、
外部の電磁信号を受信する手段と、
前記ペイメントカードに電力供給するための、前記電磁信号を１つ又はそれ以上の電気信号に変換する手段と、
前記１つ又はそれ以上の電気信号と結合された、１つ又はそれ以上のデータ信号の生成手段と、
前記１つ又はそれ以上の電気信号と結合されたデータ表示手段と、
を含むことを特徴とするペイメントカード。
【請求項３０】
前記１つ又はそれ以上の電気信号と結合された、磁気的に読み取り可能なデータを格納する手段をさらに含むことを特徴とする、請求項２９に記載のペイメントカード。
【請求項３１】
前記１つ又はそれ以上の電気信号と結合されたエネルギー貯蔵手段をさらに含むことを特徴とする、請求項２９に記載のペイメントカード。
【請求項３２】
ペイメントカードであって、
外部の電磁信号を受信する手段と、
前記ペイメントカードに電力供給するための、前記電磁信号を１つ又はそれ以上の電気信号に変換する手段と、
前記１つ又はそれ以上の電気信号と結合された、１つ又はそれ以上のデータ信号の生成手段と、
前記１つ又はそれ以上の電気信号と結合された、磁気的に読み取り可能なデータの格納手段と、
を含むことを特徴とするペイメントカード。
【請求項３３】
前記１つ又はそれ以上の電気信号と結合されたデータ表示手段をさらに含むことを特徴とする、請求項３２に記載のペイメントカード。
【請求項３４】
前記１つ又はそれ以上の電気信号と結合されたエネルギー貯蔵手段をさらに含むことを特徴とする、請求項２９に記載のペイメントカード。
【請求項３５】
請求項２３の方法を実行するためのコンピュータ・プログラム・コードを含むことを特徴とするコンピュータ可読媒体。
【請求項３６】
請求項２６の方法を実行するためのコンピュータ・プログラム・コードを含むことを特徴とするコンピュータ可読媒体。